(57)【要約】【課題】製造コストの低減を図り得る電源装置を提供する。【解決手段】電子部品が実装された回路基板３と、回路基板３が取り付けられるシャーシ１０、およびシャーシ１０と一体化されて回路基板３を収容する収容空間を形成するカバー２０を有するケーシング２と、ケーシング２内への外気の導入を実行する冷却ファン４とを備え、シャーシ１０に対するカバー２０の相対的な移動が規制されることなくシャーシ１０に対する冷却ファン４の相対的な移動が規制されるようにシャーシ１０および冷却ファン４が雄ねじ５ａ，５ｂによって相互に固定され、シャーシ１０、カバー２０および冷却ファン４の相互間における相対的な移動が規制されるようにシャーシ１０、カバー２０および冷却ファン４が雄ねじ５ｃによって相互に固定されている。【選択図】図１
2014195019.tif 000002
【特許請求の範囲】
【請求項１】
電子部品が実装された回路基板と、
前記回路基板が取り付けられる第１のケーシング構成部材、および当該第１のケーシング構成部材と一体化されて当該回路基板を収容する収容空間を形成する第２のケーシング構成部材を有するケーシングと、
前記ケーシング内への外気の導入および当該ケーシング内の空気の排出のいずれかを実行する冷却ファンとを備え、
前記第１のケーシング構成部材に対する前記第２のケーシング構成部材の相対的な移動が規制されることなく当該第１のケーシング構成部材に対する前記冷却ファンの相対的な移動が規制されるように当該第１のケーシング構成部材および当該冷却ファンが第１の固定部材によって相互に固定され、
前記第１のケーシング構成部材、前記第２のケーシング構成部材および前記冷却ファンの相互間における相対的な移動が規制されるように当該第１のケーシング構成部材、当該第２のケーシング構成部材および当該冷却ファンが第２の固定部材によって相互に固定されている電源装置。
【請求項２】
前記冷却ファンには、前記第１の固定部材としての第１の雄ねじにおけるねじ部の挿通を許容し、かつ当該第１の雄ねじにおける頭部の挿通を規制する第１の挿通部と、前記第２の固定部材としての第２の雄ねじにおけるねじ部の挿通を許容し、かつ当該第２の雄ねじにおける頭部の挿通を規制する第２の挿通部とが形成され、
前記第１のケーシング構成部材には、前記第１の挿通部を挿通させた前記第１の雄ねじにおけるねじ部を締結可能に雌ねじが設けられた第１の雌ねじ部と、前記第２の雄ねじにおけるねじ部の挿通を許容し、かつ当該第２の雄ねじにおける頭部の挿通を規制する第３の挿通部とが形成され、
前記第２のケーシング構成部材には、前記第２の挿通部および前記第３の挿通部を挿通させた前記第２の雄ねじにおけるねじ部を締結可能に雌ねじが設けられた第２の雌ねじ部が形成されている請求項１記載の電源装置。
【請求項３】
前記冷却ファンには、前記第１の固定部材としての第１の雄ねじにおけるねじ部の挿通を許容し、かつ当該第１の雄ねじにおける頭部の挿通を規制する第１の挿通部と、前記第２の固定部材としての第２の雄ねじにおけるねじ部の挿通を許容し、かつ当該第２の雄ねじにおける頭部の挿通を規制する第２の挿通部とが形成され、
前記第１のケーシング構成部材には、前記第１の挿通部を挿通させた前記第１の雄ねじにおけるねじ部を締結可能に雌ねじが設けられた第１の雌ねじ部と、前記第２の挿通部を挿通させた前記第２の雄ねじにおけるねじ部を締結可能に雌ねじが設けられた第２の雌ねじ部とが形成され、
前記第２のケーシング構成部材には、前記第２の雄ねじにおけるねじ部の挿通を許容し、かつ当該第２の雄ねじにおける頭部の挿通を規制する第３の挿通部が形成されている請求項１記載の電源装置。
【請求項４】
電子部品が実装された回路基板と、
前記回路基板が取り付けられる第１のケーシング構成部材、および当該第１のケーシング構成部材と一体化されて当該回路基板を収容する収容空間を形成する第２のケーシング構成部材を有するケーシングと、
前記ケーシング内への外気の導入および当該ケーシング内の空気の排出のいずれかを実行する冷却ファンとを備え、
前記第１のケーシング構成部材に対する前記第２のケーシング構成部材の相対的な移動が規制されることなく当該第１のケーシング構成部材に対する前記冷却ファンの相対的な移動が規制されるように当該第１のケーシング構成部材および当該冷却ファンが固定部材Ａによって相互に固定され、
前記第１のケーシング構成部材に対する前記第２のケーシング構成部材の相対的な移動が規制されることなく当該第２のケーシング構成部材に対する前記冷却ファンの相対的な移動が規制されるように当該第２のケーシング構成部材および当該冷却ファンが固定部材Ｂによって相互に固定されている電源装置。
【請求項５】
前記冷却ファンには、前記固定部材Ａとしての雄ねじＡにおけるねじ部の挿通を許容し、かつ当該雄ねじＡにおける頭部の挿通を規制する挿通部Ａと、前記固定部材Ｂとしての雄ねじＢにおけるねじ部の挿通を許容し、かつ当該雄ねじＢにおける頭部の挿通を規制する挿通部Ｂとが形成され、
前記第１のケーシング構成部材には、前記挿通部Ａを挿通させた前記雄ねじＡにおけるねじ部を締結可能に雌ねじが設けられた雌ねじ部Ａが形成され、
前記第２のケーシング構成部材には、前記挿通部Ｂを挿通させた前記雄ねじＢにおけるねじ部を締結可能に雌ねじが設けられた雌ねじ部Ｂが形成されている請求項４記載の電源装置。
【請求項６】
前記ケーシングには、前記第１のケーシング構成部材および前記第２のケーシング構成部材のいずれか一方に形成された係合用爪部と、当該係合用爪部を係合可能に前記第１のケーシング構成部材および前記第２のケーシング構成部材の他方に形成された係合用開口部とで構成された係合部が形成されている請求項１から５のいずれかに記載の電源装置。
【発明の詳細な説明】
【技術分野】
【０００１】
本発明は、回路基板を収容するためのケーシングと冷却ファンとが一体化された電源装置に関するものである。
【背景技術】
【０００２】
この種の電源装置として、特開２００５−１８３１４号公報にセル電源が開示されている。このセル電源は、セル電源本体と、セル電源本体に取り付けられた出力ユニットおよびフィルタユニットとを備えている。また、セル電源本体は、出力ユニットやフィルタユニットを接続可能な入力基板と、入力基板、出力ユニットおよびフィルタユニットなどを収容可能に構成された金属製ケースとを備えている。
【０００３】
この場合、金属製ケースは、入力基板等が取り付けられる断面コ字状の下ケースと、下ケースの上面側開口部位を閉塞するカバーとを備えて構成されている。また、このセル電源では、金属製ケースにおける下ケースにファンが取り付けられている。これにより、このセル電源では、ファンによってケース内に外気を導入してケース内の入力基板や、出力ユニットおよびフィルタユニットなどを冷却することが可能となっている。
【先行技術文献】
【特許文献】
【０００４】
【特許文献１】特開２００５−１８３１４号公報（第４−７頁、第１−１４図）
【発明の概要】
【発明が解決しようとする課題】
【０００５】
ところが、従来のセル電源には、以下の解決すべき問題点がある。すなわち、従来のセル電源では、下ケースおよびカバーで構成される金属製ケース内に、入力基板、出力ユニットおよびフィルタユニットなどが収容されると共に、外気導入用のファンが金属ケースにおける下ケースに取り付けられている。この場合、従来のセル電源では、ファン固定用の雄ねじによって下ケースにファンが固定されると共に、下ケースに形成されたネジ穴（雄ねじを挿通可能な丸孔）を挿通させたカバー取付け用の雄ねじを、カバーに形成された雌ねじに締め付ける（ねじ込む）ことによって下ケースにカバーが固定されている。
【０００６】
したがって、従来のセル電源では、下ケース、カバーおよびファンを一体化させるのに必要な雄ねじの本数が多数となっており、これに起因して製造コスト（部品コスト）が高騰しているという問題点がある。また、従来のセル電源では、製造時における雄ねじの締め付け作業回数が多数となっており、これに起因して製造コストが高騰しているという問題点もある。
【０００７】
本発明は、かかる問題点に鑑みてなされたものであり、製造コストの低減を図り得る電源装置を提供することを主目的とする。
【課題を解決するための手段】
【０００８】
上記目的を達成すべく、本発明に係る電源装置は、電子部品が実装された回路基板と、前記回路基板が取り付けられる第１のケーシング構成部材、および当該第１のケーシング構成部材と一体化されて当該回路基板を収容する収容空間を形成する第２のケーシング構成部材を有するケーシングと、前記ケーシング内への外気の導入および当該ケーシング内の空気の排出のいずれかを実行する冷却ファンとを備え、前記第１のケーシング構成部材に対する前記第２のケーシング構成部材の相対的な移動が規制されることなく当該第１のケーシング構成部材に対する前記冷却ファンの相対的な移動が規制されるように当該第１のケーシング構成部材および当該冷却ファンが第１の固定部材によって相互に固定され、前記第１のケーシング構成部材、前記第２のケーシング構成部材および前記冷却ファンの相互間における相対的な移動が規制されるように当該第１のケーシング構成部材、当該第２のケーシング構成部材および当該冷却ファンが第２の固定部材によって相互に固定されている。
【０００９】
また、本発明に係る電源装置は、前記冷却ファンには、前記第１の固定部材としての第１の雄ねじにおけるねじ部の挿通を許容し、かつ当該第１の雄ねじにおける頭部の挿通を規制する第１の挿通部と、前記第２の固定部材としての第２の雄ねじにおけるねじ部の挿通を許容し、かつ当該第２の雄ねじにおける頭部の挿通を規制する第２の挿通部とが形成され、前記第１のケーシング構成部材には、前記第１の挿通部を挿通させた前記第１の雄ねじにおけるねじ部を締結可能に雌ねじが設けられた第１の雌ねじ部と、前記第２の雄ねじにおけるねじ部の挿通を許容し、かつ当該第２の雄ねじにおける頭部の挿通を規制する第３の挿通部とが形成され、前記第２のケーシング構成部材には、前記第２の挿通部および前記第３の挿通部を挿通させた前記第２の雄ねじにおけるねじ部を締結可能に雌ねじが設けられた第２の雌ねじ部が形成されている。
【００１０】
また、本発明係る電源装置は、前記冷却ファンには、前記第１の固定部材としての第１の雄ねじにおけるねじ部の挿通を許容し、かつ当該第１の雄ねじにおける頭部の挿通を規制する第１の挿通部と、前記第２の固定部材としての第２の雄ねじにおけるねじ部の挿通を許容し、かつ当該第２の雄ねじにおける頭部の挿通を規制する第２の挿通部とが形成され、前記第１のケーシング構成部材には、前記第１の挿通部を挿通させた前記第１の雄ねじにおけるねじ部を締結可能に雌ねじが設けられた第１の雌ねじ部と、前記第２の挿通部を挿通させた前記第２の雄ねじにおけるねじ部を締結可能に雌ねじが設けられた第２の雌ねじ部とが形成され、前記第２のケーシング構成部材には、前記第２の雄ねじにおけるねじ部の挿通を許容し、かつ当該第２の雄ねじにおける頭部の挿通を規制する第３の挿通部が形成されている。
【００１１】
さらに、本発明に係る電源装置は、電子部品が実装された回路基板と、前記回路基板が取り付けられる第１のケーシング構成部材、および当該第１のケーシング構成部材と一体化されて当該回路基板を収容する収容空間を形成する第２のケーシング構成部材を有するケーシングと、前記ケーシング内への外気の導入および当該ケーシング内の空気の排出のいずれかを実行する冷却ファンとを備え、前記第１のケーシング構成部材に対する前記第２のケーシング構成部材の相対的な移動が規制されることなく当該第１のケーシング構成部材に対する前記冷却ファンの相対的な移動が規制されるように当該第１のケーシング構成部材および当該冷却ファンが固定部材Ａによって相互に固定され、前記第１のケーシング構成部材に対する前記第２のケーシング構成部材の相対的な移動が規制されることなく当該第２のケーシング構成部材に対する前記冷却ファンの相対的な移動が規制されるように当該第２のケーシング構成部材および当該冷却ファンが固定部材Ｂによって相互に固定されている。
【００１２】
また、本発明に係る電源装置は、前記冷却ファンには、前記固定部材Ａとしての雄ねじＡにおけるねじ部の挿通を許容し、かつ当該雄ねじＡにおける頭部の挿通を規制する挿通部Ａと、前記固定部材Ｂとしての雄ねじＢにおけるねじ部の挿通を許容し、かつ当該雄ねじＢにおける頭部の挿通を規制する挿通部Ｂとが形成され、前記第１のケーシング構成部材には、前記挿通部Ａを挿通させた前記雄ねじＡにおけるねじ部を締結可能に雌ねじが設けられた雌ねじ部Ａが形成され、前記第２のケーシング構成部材には、前記挿通部Ｂを挿通させた前記雄ねじＢにおけるねじ部を締結可能に雌ねじが設けられた雌ねじ部Ｂが形成されている。
【００１３】
さらに、本発明係る電源装置は、前記ケーシングには、前記第１のケーシング構成部材および前記第２のケーシング構成部材のいずれか一方に形成された係合用爪部と、当該係合用爪部を係合可能に前記第１のケーシング構成部材および前記第２のケーシング構成部材の他方に形成された係合用開口部とで構成された係合部が形成されている。
【発明の効果】
【００１４】
本発明に係る電源装置によれば、第１のケーシング構成部材に対する第２のケーシング構成部材の相対的な移動が規制されることなく第１のケーシング構成部材に対する冷却ファンの相対的な移動が規制されるように第１のケーシング構成部材および冷却ファンを第１の固定部材によって相互に固定すると共に、第１のケーシング構成部材、第２のケーシング構成部材および冷却ファンの相互間における相対的な移動が規制されるように第１のケーシング構成部材、第２のケーシング構成部材および冷却ファンを第２の固定部材によって相互に固定することにより、組立てに際して第１のケーシング構成部材および冷却ファンを第１の固定部材によって相互に固定しておくことで第２のケーシング構成部材の取り付け以前に第１のケーシング構成部材から冷却ファンが脱落する事態を好適に回避でき、また、第１のケーシング構成部材、第２のケーシング構成部材および冷却ファンを第２の固定部材によって相互に固定してこれらを一体化させることができるため、第１のケーシング構成部材に第２のケーシング構成部材を固定するためのねじを別個に用意する必要が無い分だけ製造コスト（部品コスト）を十分に低減することができる。また、冷却ファンを固定するためのねじ、および第１のケーシング構成部材に第２のケーシング構成部材を固定するためのねじを別個に設けた構成と比較して、第１のケーシング構成部材、第２のケーシング構成部材および冷却ファンを一体化させるために要するねじの締め付け作業回数が少ない分だけ製造コストを一層低減することができる。
【００１５】
また、本発明に係る電源装置によれば、冷却ファンにおける第１の挿通部を挿通させた第１の固定部材としての第１の雄ねじにおけるねじ部を締結可能に雌ねじを設けた第１の雌ねじ部と、第２の固定部材としての第２の雄ねじにおけるねじ部の挿通を許容し、かつ第２の雄ねじにおける頭部の挿通を規制する第３の挿通部とを第１のケーシング構成部材に形成すると共に、第１のケーシング構成部材における第３の挿通部、および冷却ファンにおける第２の挿通部を挿通させた第２の雄ねじにおけるねじ部を締結可能に雌ねじを設けた第２の雌ねじ部を第２のケーシング構成部材に形成したことにより、例えば、第１の雌ねじ部および第２の雌ねじ部に雌ねじに代えて挿通孔を設け、両雌ねじ部の裏面側において第１の雄ねじや第２の雄ねじにナットを締め付ける構成と比較して、ナットの押え付けが不要な分だけ、両雄ねじを容易に締め付けることができる。また、ナットの部品コストと比較して両雌ねじ部に雌ねじを形成するコストが低いため、製造コストを一層低減することができる。
【００１６】
また、本発明に係る電源装置によれば、冷却ファンにおける第１の挿通部を挿通させた第１の固定部材としての第１の雄ねじにおけるねじ部を締結可能に雌ねじを設けた第１の雌ねじ部と、冷却ファンにおける第２の挿通部を挿通させた第２の固定部材としての第２の雄ねじにおけるねじ部を締結可能に雌ねじを設けた第２の雌ねじ部とを第１のケーシング構成部材に形成すると共に、第２の雄ねじにおけるねじ部の挿通を許容し、かつ第２の雄ねじにおける頭部の挿通を規制する第３の挿通部を第２のケーシング構成部材に形成したことにより、例えば、第１の雌ねじ部および第２の雌ねじ部に雌ねじに代えて挿通孔を設け、両雌ねじ部の裏面側において第１の雄ねじや第２の雄ねじにナットを締め付ける構成と比較して、ナットの押え付けが不要な分だけ、両雄ねじを容易に締め付けることができる。また、ナットの部品コストと比較して両雌ねじ部に雌ねじを形成するコストが低いため、製造コストを一層低減することができる。
【００１７】
さらに、本発明に係る電源装置によれば、第１のケーシング構成部材に対する第２のケーシング構成部材の相対的な移動が規制されることなく第１のケーシング構成部材に対する冷却ファンの相対的な移動が規制されるように第１のケーシング構成部材および冷却ファンを固定部材Ａによって相互に固定すると共に、第１のケーシング構成部材に対する第２のケーシング構成部材の相対的な移動が規制されることなく第２のケーシング構成部材に対する冷却ファンの相対的な移動が規制されるように第２のケーシング構成部材および冷却ファンを固定部材Ｂによって相互に固定することにより、組立てに際して冷却ファンおよび第１のケーシング構成部材を固定部材Ａによって相互に固定しておくことで第２のケーシング構成部材の取り付け以前に第１のケーシング構成部材から冷却ファンが脱落する事態を好適に回避でき、また、その後に、第２のケーシング構成部材および冷却ファンを固定部材Ｂによって相互に固定することで冷却ファンを介して第１のケーシング構成部材および第２のケーシング構成部材を一体化することができるため、第１のケーシング構成部材に第２のケーシング構成部材を固定するためのねじを別個に用意する必要が無い分だけ製造コスト（部品コスト）を十分に低減することができる。また、冷却ファンを固定するためのねじ、および第１のケーシング構成部材に第２のケーシング構成部材を固定するためのねじを別個に設けた構成と比較して、第１のケーシング構成部材、第２のケーシング構成部材および冷却ファンを一体化させるために要するねじの締め付け作業回数が少ない分だけ製造コストを一層低減することができる。
【００１８】
また、本発明に係る電源装置によれば、冷却ファンにおける挿通部Ａを挿通させた固定部材Ａとしての雄ねじＡにおけるねじ部を締結可能に雌ねじを設けた雌ねじ部Ａを第１のケーシング構成部材に形成すると共に、冷却ファンにおける挿通部Ｂを挿通させた固定部材Ｂとしての雄ねじＢにおけるねじ部を締結可能に雌ねじを設けた雌ねじ部Ｂを第２のケーシング構成部材に形成したことにより、雌ねじ部Ａおよび雌ねじ部Ｂに雌ねじに代えて挿通孔を設け、両雌ねじ部の裏面側において雄ねじＡや雄ねじＢにナットを締め付ける構成と比較して、ナットの押え付けが不要な分だけ、両雄ねじを容易に締め付けることができる。また、ナットの部品コストと比較して両雌ねじ部に雌ねじを形成するコストが低いため、製造コストを一層低減することができる。
【００１９】
また、本発明に係る電源装置によれば、第１のケーシング構成部材および第２のケーシング構成部材のいずれか一方に形成した係合用爪部と、係合用爪部を係合可能に第１のケーシング構成部材および第２のケーシング構成部材の他方に形成した係合用開口部とで構成された係合部をケーシングに形成したことにより、第１のケーシング構成部材と第２のケーシング構成部材とをねじ止めする構成と比較して、係合部によって係合した箇所の分だけ、ねじの使用本数を少数化することができるため、電源装置の製造コストを一層低減することができる。
【図面の簡単な説明】
【００２０】
【図１】電源装置１を背面側から見た外観斜視図である。
【図２】電源装置１の断面図である。
【図３】電源装置１の分解斜視図である。
【図４】シャーシ１０に回路基板３および冷却ファン４を取り付けた状態の斜視図である。
【図５】係合用開口部１４ａ，２３ａの口縁部に係合用爪部２２ａ，１２ｂを係合させる手順について説明するための断面図である。
【図６】係合用開口部１４ａ，２３ａの口縁部に係合用爪部２２ａ，１２ｂを係合させる手順について説明するための他の断面図である。
【図７】係合用開口部１４ａ，２３ａの口縁部に対する係合用爪部２２ａ，１２ｂの係合が完了した状態を示す断面図である。
【図８】シャーシ１０にカバー２０を取り付けた状態の斜視図である。
【図９】電源装置１Ａの断面図である。
【図１０】電源装置１Ｂを背面側から見た外観斜視図である。
【図１１】電源装置１Ｂの断面図である。
【図１２】電源装置１Ｂの分解斜視図である。
【発明を実施するための形態】
【００２１】
以下、電源装置の実施の形態について、添付図面を参照して説明する。
【００２２】
図１，２に示す電源装置１は、「電源装置」の一例であって、ケーシング２、回路基板３および冷却ファン４を備えて構成されている。この場合、回路基板３は、各種の電子部品や電源入出力端子を接続する接続用コネクタなどが実装されてケーシング２内に収容されている。なお、本明細書において参照する各図においては、回路基板３に実装された電子部品や接続用コネクタ等の図示を省略している。
【００２３】
また、冷却ファン４は、一例として、軸流型のファンで構成されており、後述するように、ケーシング２内への外気の導入を実行可能に雄ねじ５ａ〜５ｃによってケーシング２と一体化されている。この冷却ファン４には、図３に示すように、固定用の雄ねじにおけるねじ部の挿通を許容し、かつ雄ねじにおける頭部の挿通を規制する挿通孔４ａ〜４ｄが形成されている。
【００２４】
この場合、本例の電源装置１では、雄ねじ５ａ，５ｂが「第１の固定部材としての第１の雄ねじ」に相当し、この雄ねじ５ａ，５ｂのねじ部が挿通させられる挿通孔４ａ，４ｃが「第１の挿通部」に相当すると共に、雄ねじ５ｃが「第２の固定部材としての第２の雄ねじ」に相当し、この雄ねじ５ｃのねじ部が挿通させられる挿通孔４ｄが「第２の挿通部」に相当する。また、本例の電源装置１では、挿通孔４ｂが未使用となっている。
【００２５】
なお、挿通孔４ａ〜４ｄが形成された冷却ファン４に代えて、羽根車の回転軸に沿った方向に雄ねじ５ａ〜５ｃ等を挿通可能な切欠き（ねじ挿通用溝：「第１の挿通部」および「第２の挿通部」の他の一例）が形成されたファン（図示せず）を「冷却ファン」として採用することもできる。また、上記の構成に代えて、ケーシング２内の空気の排出を実行可能に冷却ファン４をケーシング２と一体化することもできる。さらに、軸流型のファンに代えて、遠心型のファンや斜流型のファンを「冷却ファン」として採用することもできる（図示せず）。
【００２６】
一方、図１〜３に示すように、ケーシング２は、回路基板３が取り付けられるシャーシ１０、およびシャーシ１０と一体化されて回路基板３を収容する収容空間を形成するカバー２０を備えて構成されている。なお、この電源装置１では、ケーシング２における不図示の正面側部位が開口されており、この開口部位において回路基板３に実装されている接続用コネクタに電源ケーブルを接続することができるように構成されている。
【００２７】
シャーシ１０は、「第１のケーシング構成部材」に相当し、一例として、亜鉛メッキ処理を施したスチール板をプレス加工することにより、図３に示すように、底板１１、左側板１２、背面板１３および当接片１４が一体的に形成されている。この場合、底板１１には、冷却ファン４の挿通孔４ｃを挿通させた雄ねじ５ｂのねじ部を締め付け可能に雌ねじが形成された雌ねじ部１１ａ（「第１の雌ねじ部」の一例）が形成されている。また、左側板１２には、冷却ファン４の挿通孔４ａを挿通させた雄ねじ５ａのねじ部を締め付け可能に雌ねじが形成された雌ねじ部１２ａ（「第１の雌ねじ部」の他の一例）と、後述するようにカバー２０に設けられた係合用開口部２３ａに係合可能に先端部が正面側に向かって突出させられた係合用爪部１２ｂ（「係合用爪部」の一例）とが形成されている。
【００２８】
さらに、背面板１３には、雄ねじ５ｃにおけるねじ部の挿通を許容し、かつ雄ねじ５ｃにおける頭部の挿通を規制する挿通孔１３ａ（「第３の挿通部」の一例）と、雄ねじ５ａ，５ｂを冷却ファン４の挿通孔４ａ，４ｃに挿通させるための切欠き１３ｂ，１３ｃと、冷却ファン４によるケーシング２内への外気の導入を許容するための開口部１３ｄとが形成されている。また、当接片１４は、左側板１２に対向配置された長尺帯状の小片であって、この当接片１４には、後述するようにカバー２０に設けられた係合用爪部２２ａが係合可能な係合用開口部１４ａ（「係合用開口部」の一例）が形成されている。
【００２９】
カバー２０は、「第２のケーシング構成部材」に相当し、一例として、亜鉛メッキ処理を施したスチール板をプレス加工することにより、天板２１、右側板２２および当接片２３，２４が一体的に形成されている。この場合、天板２１には、シャーシ１０の背面板１３における挿通孔１３ａ、および冷却ファン４の挿通孔４ｄを挿通させた雄ねじ５ｃにおけるねじ部を締結可能に雌ねじが形成された雌ねじ部２１ａ（「第２の雌ねじ部」の一例）が形成されている。また、右側板２２には、前述したようにシャーシ１０の当接片１４に形成された係合用開口部１４ａの口縁部に係合可能に先端部が背面側に向かって突出させられた係合用爪部２２ａ（「係合用爪部」の他の一例）が形成されている。
【００３０】
さらに、当接片２３は、シャーシ１０における左側板１２に当接可能に右側板２２に対向配置された長尺帯状の小片であって、この当接片２３には、前述したようにシャーシ１０の左側板１２に形成された係合用爪部１２ｂが係合可能な係合用開口部２３ａ（「係合用開口部」の他の一例）が形成されている。また、当接片２４は、シャーシ１０における背面板１３に当接可能に長尺帯状に形成されている。
【００３１】
この場合、本例の電源装置１におけるケーシング２では、シャーシ１０の係合用爪部１２ｂとカバー２０の係合用開口部２３ａとが相まって１つの「係合部」が構成されると共に、シャーシ１０の係合用開口部１４ａとカバー２０の係合用爪部２２ａとが相まって他の１つの「係合部」が構成されている。なお、図３等においては、２組の「係合部」だけを図示しているが、ケーシング２における不図示の正面側部位には、さらに複数の「係合部（係合用爪部１２ｂ，２２ａおよび係合用開口部１４ａ，２３ａ）」が形成されている。
【００３２】
この電源装置１の組み立てに際しては、まず、電子部品等の実装が完了している回路基板３をシャーシ１０に取り付ける。次いで、図４に示すように、シャーシ１０に冷却ファン４を取り付ける。具体的には、まず、背面板１３に形成されている開口部１３ｄに合わせて底板１１の上に冷却ファン４を載置する。続いて、背面板１３に形成されている切欠き１３ｂから露出している冷却ファン４の挿通孔４ａに雄ねじ５ａのねじ部を挿通させて雌ねじ部１２ａの雌ねじに締め付ける（ねじ込む）と共に、切欠き１３ｃから露出している挿通孔４ｃに雄ねじ５ｂのねじ部を挿通させて雌ねじ部１１ａの雌ねじに締め付ける（ねじ込む）。これにより、この時点においては取り付けられていないカバー２０のシャーシ１０に対する相対的な移動が規制されることなく、両雄ねじ５ａ，５ｂによって、シャーシ１０に対する冷却ファン４の相対的な移動が規制された状態となる。
【００３３】
次いで、カバー２０を取り付ける。具体的には、回路基板３および冷却ファン４の取り付けが完了したシャーシ１０の右方正面寄りにカバー２０を位置させることにより、図５に示すように、シャーシ１０における係合用爪部１２ｂの先端部とカバー２０における係合用開口部２３ａとをケーシング２の横幅方向（同図における左右方向）において一致させ、かつシャーシ１０における係合用開口部１４ａとカバー２０における係合用爪部２２ａの先端部とをケーシング２の横幅方向において一致させる。次いで、シャーシ１０に対してカバー２０を矢印Ａの向き（背面側から見て右向き：正面側から見て左向き）に移動させ、図６に示すように、係合用開口部２３ａ，１４ａに係合用爪部１２ｂ，２２ａの先端部を挿通させる。この際には、カバー２０の当接片２３がシャーシ１０の左側板１２における上縁部側内面に当接した状態となる。
【００３４】
続いて、シャーシ１０に対してカバー２０を矢印Ｂの向き（背面側に向かう向き）に移動させ、図７に示すように、係合用開口部２３ａ，１４ａの口縁部に係合用爪部１２ｂ，２２ａの先端部を係合させる。この際には、カバー２０の当接片２４がシャーシ１０の背面板１３における上縁部側内面に当接した状態となる。これにより、シャーシ１０に対するカバー２０の上下左右方向および背面方向への移動が規制された状態となる。
【００３５】
次いで、図８に示すように、雄ねじ５ｃにおけるねじ部を、シャーシ１０における挿通孔１３ａ、および冷却ファン４における挿通孔４ｄに挿通させて、カバー２０における雌ねじ部２１ａの雌ねじに締め付ける（ねじ込む）。これにより、シャーシ１０に対するカバー２０の相対的な移動、シャーシ１０に対する冷却ファン４の相対的な移動、およびカバー２０に対する冷却ファン４の相対的な移動が雄ねじ５ｃによって規制された状態となり、シャーシ１０、カバー２０および冷却ファン４が一体化する。以上により、電源装置１の組み立てが完了する。
【００３６】
このように、この電源装置１によれば、シャーシ１０に対するカバー２０の相対的な移動が規制されることなくシャーシ１０に対する冷却ファン４の相対的な移動が規制されるようにシャーシ１０および冷却ファン４を雄ねじ５ａ，５ｂによって相互に固定すると共に、シャーシ１０、カバー２０および冷却ファン４の相互間における相対的な移動が規制されるようにシャーシ１０、カバー２０および冷却ファン４を雄ねじ５ｃによって相互に固定することにより、組立てに際してシャーシ１０および冷却ファン４を雄ねじ５ａ，５ｂによって相互に固定しておくことでカバー２０の取り付け以前にシャーシ１０から冷却ファン４が脱落する事態を好適に回避でき、また、シャーシ１０、カバー２０および冷却ファン４を雄ねじ５ｃによって相互に固定してこれらを一体化させることができるため、シャーシ１０にカバー２０を固定するためのねじを別個に用意する必要が無い分だけ製造コスト（部品コスト）を十分に低減することができる。また、冷却ファン４を固定するためのねじ、およびシャーシ１０にカバー２０を固定するためのねじを別個に設けた構成と比較して、シャーシ１０、カバー２０および冷却ファン４を一体化させるために要するねじの締め付け作業回数が少ない分だけ製造コストを一層低減することができる。
【００３７】
また、この電源装置１によれば、冷却ファン４における挿通孔４ａ，４ｃを挿通させた雄ねじ５ａ，５ｂにおけるねじ部を締結可能に雌ねじを設けた雌ねじ部１２ａ，１１ａと、雄ねじ５ｃにおけるねじ部の挿通を許容し、かつ雄ねじ５ｃにおける頭部の挿通を規制する挿通孔１３ａとをシャーシ１０に形成すると共に、シャーシ１０における挿通孔１３ａ、および冷却ファン４における挿通孔４ｄを挿通させた雄ねじ５ｃにおけるねじ部を締結可能に雌ねじを設けた雌ねじ部２１ａをカバー２０に形成したことにより、例えば、雌ねじに代えて雌ねじ部１２ａ，１１ａ，２１ａに挿通孔を設け、雌ねじ部１２ａ，１１ａ，２１ａの裏面側において雄ねじ５ａ〜５ｃにナットを締め付ける構成と比較して、ナットの押え付けが不要な分だけ、雄ねじ５ａ〜５ｃを容易に締め付けることができる。また、ナットの部品コストと比較して雌ねじ部１２ａ，１１ａ，２１ａへの雌ねじの形成コストが低いため、製造コストを一層低減することができる。
【００３８】
さらに、この電源装置１によれば、シャーシ１０に形成した係合用爪部１２ｂ、および係合用爪部１２ｂを係合可能にカバー２０に形成した係合用開口部２３ａからなる「係合部」と、カバー２０に形成した係合用爪部２２ａ、および係合用爪部２２ａを係合可能にシャーシ１０に形成した係合用開口部１４ａからなる「係合部」とをケーシング２に形成したことにより、シャーシ１０とカバー２０とをねじ止めする構成と比較して、「係合部」によって係合した箇所の分だけ、ねじの使用本数を少数化することができるため、電源装置１の製造コストを一層低減することができる。
【００３９】
なお、「電源装置」の構成は、上記の電源装置１の構成に限定されない。例えば、上記の電源装置１の構成に代えて、図９に示す電源装置１Ａのように、雄ねじ５ａ，５ｂ（同図では、雄ねじ５ｂのみを図示している）によってシャーシ１０ａに冷却ファン４を固定すると共に、雄ねじ５ｃによって冷却ファン４にカバー２０を固定することで、冷却ファン４を介してシャーシ１０に対するカバー２０の相対的な移動を規制する構成を採用することができる。なお、同図に示す電源装置１Ａにおいて、上記の電源装置１と同様の機能を有する構成要素については、同一の符号を付して重複する説明を省略する。
【００４０】
この場合、電源装置１Ａは、「電源装置」の他の一例であって、電源装置１のケーシング２におけるシャーシ１０に代えてシャーシ１０ａを備えてケーシング２ａが構成されている。また、シャーシ１０ａは、「第１のケーシング構成部材」の他の一例であって、前述したシャーシ１０における挿通孔１３ａに代えて切欠き１３ｃが形成されている点を除き、シャーシ１０と同様に形成されている。なお、この電源装置１Ａでは、冷却ファン４における挿通孔４ａ，４ｃが「挿通部Ａ」に相当し、かつ冷却ファン４における挿通孔４ｄが「挿通部Ｂ」に相当する。また、この電源装置１Ａでは、雄ねじ５ａ，５ｂが「固定部材Ａとしての雄ねじＡ」に相当し、かつ雄ねじ５ｃが「固定部材Ｂとしての雄ねじＢ」に相当すると共に、シャーシ１０ａの雌ねじ部１２ａ，１１ａが「雌ねじ部Ａ」に相当し、かつカバー２０の雌ねじ部２１ａが「雌ねじ部Ｂ」に相当する。
【００４１】
この電源装置１Ａによれば、シャーシ１０ａに対するカバー２０の相対的な移動が規制されることなくシャーシ１０ａに対する冷却ファン４の相対的な移動が規制されるようにシャーシ１０ａおよび冷却ファン４を雄ねじ５ａ，５ｂによって相互に固定すると共に、シャーシ１０ａに対するカバー２０の相対的な移動が規制されることなくカバー２０に対する冷却ファン４の相対的な移動が規制されるようにシャーシ１０ａおよびカバー２０を雄ねじ５ｃによって相互に固定することにより、組立てに際して冷却ファン４およびシャーシ１０ａを雄ねじ５ａ，５ｂによって相互に固定しておくことでカバー２０の取り付け以前にシャーシ１０ａから冷却ファン４が脱落する事態を好適に回避でき、また、その後に、カバー２０および冷却ファン４を雄ねじ５ｃによって相互に固定することで冷却ファン４を介してシャーシ１０ａおよびカバー２０を一体化することができるため、シャーシ１０ａにカバー２０を固定するためのねじを別個に用意する必要が無い分だけ製造コスト（部品コスト）を十分に低減することができる。また、冷却ファン４を固定するためのねじ、およびシャーシ１０ａにカバー２０を固定するためのねじを別個に設けた構成と比較して、シャーシ１０ａ、カバー２０および冷却ファン４を一体化させるために要するねじの締め付け作業回数が少ない分だけ製造コストを一層低減することができる。
【００４２】
また、この電源装置１Ａによれば、冷却ファン４における挿通孔４ａ，４ｃを挿通させた雄ねじ５ａ，５ｂにおけるねじ部を締結可能に雌ねじを設けた雌ねじ部１２ａ，１１ａをシャーシ１０ａに形成すると共に、冷却ファン４における挿通孔４ｄを挿通させた雄ねじ５ｃにおけるねじ部を締結可能に雌ねじを設けた雌ねじ部２１ａをカバー２０に形成したことにより、例えば、雌ねじに代えて雌ねじ部１２ａ，１１ａ，２１ａに挿通孔を設け、雌ねじ部１２ａ，１１ａ，２１ａの裏面側において雄ねじ５ａ〜５ｃにナットを締め付ける構成と比較して、ナットの押え付けが不要な分だけ、雄ねじ５ａ〜５ｃを容易に締め付けることができる。また、ナットの部品コストと比較して雌ねじ部１２ａ，１１ａ，２１ａへの雌ねじの形成コストが低いため、製造コストを一層低減することができる。
【００４３】
一方、図１０〜１２に示す電源装置１Ｂは、「電源装置」のさらに他の一例であって、前述した電源装置１におけるシャーシ１０およびカバー２０からなるケーシング２に代えて、シャーシ１０ｂおよびカバー２０ｂからなるケーシング２ｂを備えて構成されている。なお、この電源装置１Ｂにおいて、上記の電源装置１，１Ａと同様の機能を有する構成要素については、同一の符号を付して重複する説明を省略する。
【００４４】
シャーシ１０ｂは、「第１のケーシング構成部材」の他の一例であって、その底板１１には、前述した雌ねじ部１１ａに加えて、冷却ファン４の挿通孔４ｂを挿通させた雄ねじ５ｂのねじ部を締め付け可能に雌ねじが形成された雌ねじ部１１ｂ（「第１の雌ねじ部」の他の一例）が形成されている。また、シャーシ１０ｂの左側板１２には、シャーシ１０，１０ａにおける係合用爪部１２ｂに代えて、その先端部が背面側に向かって突出させられた係合用爪部１２ｃ（「係合用爪部」の他の一例）が形成されている。
【００４５】
さらに、シャーシ１０ｂの背面板１３には、電源装置１のケーシング２におけるシャーシ１０の挿通孔１３ａや、電源装置１Ａのケーシング２ａにおけるシャーシ１０ａの上側の切欠き１３ｃが形成されずに、これらに代えて、シャーシ１０における切欠き１３ｂの形成位置に、雄ねじ５ａにおけるねじ部の挿通を許容し、かつ雄ねじ５ｂにおける頭部の挿通を規制する挿通孔１３ｅが形成されると共に、雄ねじ５ｂを冷却ファン４の挿通孔４ｂに挿通させるための切欠き１３ｆが形成されている。さらに、このシャーシ１０ｂにおける雌ねじ部１２ａは、雄ねじ５ａにおけるねじ部を締め付け可能に構成されて「第２の雌ねじ部」として機能する。
【００４６】
カバー２０ｂは、「第２のケーシング構成部材」の他の一例であって、その天板２１には、雌ねじ部２１ａが形成されておらず、また、カバー２０ｂの右側板２２には、カバー２０における係合用爪部２２ａに代えて、その先端部が正面側に向かって突出させられた係合用爪部２２ｂ（「係合用爪部」の他の一例）が形成されている。さらに、カバー２０ｂの当接片２４には、雄ねじ５ａにおけるねじ部の挿通を許容し、かつ雄ねじ５ａにおける頭部の挿通を規制する挿通孔２４ａ（「第３の挿通部」の一例）が形成されている。
【００４７】
この場合、この電源装置１Ｂでは、冷却ファン４における挿通孔４ｂ，４ｃが「第１の挿通部」に相当し、かつ冷却ファン４における挿通孔４ａが「第２の挿通部」に相当すると共に、冷却ファン４における挿通孔４ｄが未使用となっている。また、この電源装置１Ｂでは、雄ねじ５ｂ，５ｃが「第１の固定部材としての第１の雄ねじ」に相当し、かつ雄ねじ５ａが「第２の固定部材としての第２の雄ねじ」に相当する。
【００４８】
この電源装置１Ｂの組み立てに際しては、回路基板３を取り付けたシャーシ１０ｂに冷却ファン４を取り付ける。具体的には、底板１１の上に冷却ファン４を載置した後に、背面板１３の切欠き１３ｆ，１３ｃから冷却ファン４の挿通孔４ｂ，４ｃに雄ねじ５ｂ，５ｃのねじ部を挿通させて雌ねじ部１１ｂ，１１ａの雌ねじにそれぞれ締め付ける（ねじ込む）。これにより、この時点においては取り付けられていないカバー２０ｂのシャーシ１０ｂに対する相対的な移動が規制されることなく、両雄ねじ５ｂ，５ｃによって、シャーシ１０ｂに対する冷却ファン４の相対的な移動が規制された状態となる。
【００４９】
次いで、シャーシ１０ｂの右方背面寄りにカバー２０ｂを位置させ、シャーシ１０ｂにおける係合用爪部１２ｃの先端部とカバー２０ｂにおける係合用開口部２３ａとをケーシング２ｂの横幅方向において一致させ、かつシャーシ１０ｂにおける係合用開口部１４ａとカバー２０ｂにおける係合用爪部２２ｂの先端部とをケーシング２ｂの横幅方向において一致させる。続いて、シャーシ１０ｂに対してカバー２０ｂを正面向かって左向きに移動させ、係合用開口部２３ａ，１４ａに係合用爪部１２ｃ，２２ｂの先端部を挿通させる。この際には、カバー２０ｂの当接片２３がシャーシ１０ｂの左側板１２における上縁部側内面に当接した状態となる。
【００５０】
続いて、シャーシ１０ｂに対してカバー２０ｂを正面側に向かう向きに移動させ、係合用開口部２３ａ，１４ａの口縁部に係合用爪部１２ｃ，２２ｂの先端部を係合させる。この際には、カバー２０ｂの当接片２４がシャーシ１０ｂの背面板１３における上縁部側外面に当接した状態となる。これにより、シャーシ１０ｂに対するカバー２０ｂの上下左右方向および背面方向への移動が規制された状態となる。
【００５１】
次いで、雄ねじ５ａにおけるねじ部を、カバー２０ｂにおける挿通孔２４ａ、シャーシ１０ｂにおける挿通孔１３ｅ、および冷却ファン４における挿通孔４ａに挿通させて、シャーシ１０ｂにおける雌ねじ部１２ａの雌ねじに締め付ける（ねじ込む）。これにより、シャーシ１０ｂに対するカバー２０ｂの相対的な移動、シャーシ１０ｂに対する冷却ファン４の相対的な移動、およびカバー２０ｂに対する冷却ファン４の相対的な移動が雄ねじ５ａによって規制された状態となり、シャーシ１０ｂ、カバー２０ｂおよび冷却ファン４が一体化する。以上により、電源装置１Ｂの組み立てが完了する。
【００５２】
このように、この電源装置１Ｂによれば、冷却ファン４における挿通孔４ｂ，４ｃを挿通させた雄ねじ５ｂ，５ｃにおけるねじ部を締結可能に雌ねじを設けた雌ねじ部１１ｂ，１１ａと、冷却ファン４における挿通孔４ａを挿通させた雄ねじ５ａにおけるねじ部を締結可能に雌ねじを設けた雌ねじ部１２ａとをシャーシ１０ｂに形成すると共に、雄ねじ５ａにおけるねじ部の挿通を許容し、かつ雄ねじ５ａにおける頭部の挿通を規制する挿通孔２４ａをカバー２０ｂに形成したことにより、例えば、雌ねじに代えて挿通孔を雌ねじ部１２ａ，１１ａ，１１ｂに設け、雌ねじ部１２ａ，１１ａ，１１ｂの裏面側において雄ねじ５ａ〜５ｃにナットを締め付ける構成と比較して、ナットの押え付けが不要な分だけ、雄ねじ５ａ〜５ｃを容易に締め付けることができる。また、ナットの部品コストと比較して雌ねじ部１２ａ，１１ａ，１１ｂへの雌ねじの形成コストが低いため、製造コストを一層低減することができる。
【００５３】
また、雄ねじ５ａ，５ｂの２本によってシャーシ１０，１０ａに対する冷却ファン４の相対的な移動を規制する構成（「第１の固定部材」および「固定部材Ａ」が２つ存在する構成）のケーシング２，２ａを備えたシャーシ１０，１０Ａ、および雄ねじ５ｂ，５ｃの２本によってシャーシ１０ｂに対する冷却ファン４の相対的な移動を規制する構成（「第１の固定部材」が２つ存在する構成）のケーシング２ｂを備えたシャーシ１０ｂを例に挙げて説明したが、「第１の固定部材」や「固定部材」は、少なくとも１つ存在すればよい。さらに、冷却ファン４をケーシング２，２ａ，２ｂ内に収容するようにしてケーシング２，２ａ，２ｂと一体化する構成を例に挙げて説明したが、「ケーシング」の外部（背面板の外面側）に「冷却ファン」を取り付ける構成を採用することもできる（図示せず）。
【００５４】
また、「雄ねじのねじ部」を「雌ねじ部の雌ねじ」にねじ込む構成を例に挙げて説明したが、「第１の固定部材」、「第２の固定部材」、「固定部材Ａ」および「固定部材Ｂ」としてタッピングねじ（タッピングビス：ねじ込みによって、ねじ込み部位に雌ねじが形成される雄ねじ）を採用し、これらを「冷却ファン」の「挿通孔」にねじ込むことにより、「第１のケーシング構成部材」、「第２のケーシング構成部材」および「冷却ファン」を一体化させる構成を採用することもできる（「雌ねじ部」が存在しない構成の一例：図示せず）。さらに、「固定部材」は、ねじ（ビス、ボルト）のような締結体に限定されず、アンカーボルト（打込み型アンカーボルトおよび締付け型アンカーボルト）やコッターピン（割りピン）などの各種固定具を「固定部材」として採用して対象物を相互に固定する構成を採用することもできる。
【符号の説明】
【００５５】
１，１Ａ，１Ｂ  電源装置
２，２ａ，２ｂ  ケーシング
３  回路基板
４  冷却ファン
４ａ〜４ｄ，１３ａ，１３ｅ，２４ａ  挿通孔
５ａ〜５ｃ  雄ねじ
１０，１０ａ，１０ｂ  シャーシ
１１  底板
１１ａ，１１ｂ，１２ａ，２１ａ  雌ねじ部
１２  左側板
１２ｂ，１２ｃ，２２ａ，２２ｂ  係合用爪部
１３  背面板
１３ｂ，１３ｃ，１３ｆ  切欠き
１３ｄ  開口部
１４，２３，２４  当接片
１４ａ，２３ａ  係合用開口部
２０，２０ｂ  カバー
２１  天板
２２  右側板
【図１】
2014195019.tif 000003
【図２】
2014195019.tif 000004
【図３】
2014195019.tif 000005
【図４】
2014195019.tif 000006
【図５】
2014195019.tif 000007
【図６】
2014195019.tif 000008
【図７】
2014195019.tif 000009
【図８】
2014195019.tif 000010
【図９】
2014195019.tif 000011
【図１０】
2014195019.tif 000012
【図１１】
2014195019.tif 000013
【図１２】
2014195019.tif 000014